(57)【要約】【課題】不用な体液や廃液が外に漏れることがなく作業を衛生的に行うことができる吸引器及び吸引・洗浄器を提供すること。【解決手段】弾力性を有する筒体（２）の前方と後方に逆止弁（３）を配置し、当該筒体（２）の上流側に体内挿入チューブ（４）を装着し、前記筒体（２）の下流側に空バッグ（６）を装着した吸引器（１）。洗浄ルーメン（１４Ｗ）と連通する分岐チューブ（１４ａ）を介して、前方と後方に開口部（３Ｏ）を上流側に向けた逆止弁（３）を配置した筒体（２）を接続し、当該筒体（２）の下流側に瓶針（８、１８）とクランプ（７、１７）を装着したチューブ（１５）を接続し、廃液ルーメン（１４Ｄ）と連通する分岐チューブ（１４ｂ）を介して、前方と後方に開口部（３Ｏ）を下流側に向けた逆止弁（３）を配置した筒体（２）を接続し、当該筒体（２）の下流側に空バッグ（６）を装着した吸引・洗浄器（１１）。【選択図】図１
2005110888.tif 000002
【特許請求の範囲】
【請求項１】
弾力性を有する筒体（２）の前方と後方に逆止弁（３）を配置し、当該筒体（２）の上流側に体内挿入チューブ（４）を装着し、前記筒体（２）の下流側に空バッグ（６）を装着した、ことを特徴とする吸引器（１）。
【請求項２】
洗浄ルーメン（１４Ｗ）と廃液ルーメン（１４Ｄ）を有するカテーテル（１４）の下流側に、
前記洗浄ルーメン（１４Ｗ）と連通する分岐チューブ（１４ａ）を介して、前方と後方に開口部（３Ｏ）を上流側に向けた逆止弁（３）を配置した筒体（２）を接続し、当該筒体（２）の下流側に瓶針（８、１８）とクランプ（７、１７）を装着したチューブ（１５）を接続し、
前記廃液ルーメン（１４Ｄ）と連通する分岐チューブ（１４ｂ）を介して、前方と後方に開口部（３Ｏ）を下流側に向けた逆止弁（３）を配置した筒体（２）を接続し、当該筒体（２）の下流側に空バッグ（６）を装着した、ことを特徴とする吸引・洗浄器（１１）。
【発明の詳細な説明】
【技術分野】
【０００１】
本発明は不用な体液を吸引して排出するための吸引器と、外科手術で患部の洗浄及び洗浄後の廃液を排出するための吸引・洗浄器器具の改良に関する。
【背景技術】
【０００２】
特許文献１（実開昭５９−１１９８３６号）では、胆汁抽出チューブに第一の一方弁（逆止弁）を介して圧縮可能な胆汁リザーバーを接続し、当該リザーバーに第二の一方弁を介して胆汁送出チューブが接続した胆汁誘導器の発明が開示されている。
【０００３】
特許文献２（実開昭５３−８３８８８号）では、球状のゴム状弾性体からなるフラッシュバルブの先端入口側に逆止弁を配置し、当該フラッシュバルブの後端出口側に、逆止弁を配置した導管を接続した腹腔静脈バイパスシャントの発明が開示されている。
【特許文献１】実開昭５９−１１９８３６号
【特許文献２】実開昭５３−８３８８８号
【発明の開示】
【発明が解決しようとする課題】
【０００４】
特許文献１及び２では不用な体液、廃液を体外に排出する場合、排出チューブ（出口側導管）の先端に、不用な体液等を受ける容器を配置して、当該容器に排出チューブ（出口側導管）を固定しなければならない。
このため不用な体液等が排出チューブ（出口側導管）から漏れることがあり、衛生状好ましくない。また容器と排出チューブ（出口側導管）を固定する手段を準備しなければならないので、これらの部品の調達コストや操作の手間がかかっていた。
【課題を解決するための手段】
【０００５】
そこで本発明者は鋭意検討を重ねた結果、次の発明に到達した。
［１］本発明は、弾力性を有する筒体（２）の前方と後方に逆止弁（３）を配置し、当該筒体（２）の上流側に体内挿入チューブ（４）を装着し、前記筒体（２）の下流側に空バッグ（６）を装着した吸引器（１）を提供する。
［２］本発明は、洗浄ルーメン（１４Ｗ）と廃液ルーメン（１４Ｄ）を有するカテーテル（１４）の下流側に、
前記洗浄ルーメン（１４Ｗ）と連通する分岐チューブ（１４ａ）を介して、前方と後方に開口部（３Ｏ）を上流側に向けた逆止弁（３）を配置した筒体（２）を接続し、当該筒体（２）の下流側に瓶針（８、１８）とクランプ（７、１７）を装着したチューブ（１５）を接続し、
前記廃液ルーメン（１４Ｄ）と連通する分岐チューブ（１４ｂ）を介して、前方と後方に開口部（３Ｏ）を下流側に向けた逆止弁（３）を配置した筒体（２）を接続し、当該筒体（２）の下流側に空バッグ（６）を装着した吸引・洗浄器（１１）を提供する。
【発明の効果】
【０００６】
本発明の吸引器１は、不用な体液を容易に排出することができ、空バッグ６にそのまま採集することができるので、不用な体液が外に漏れることがなく作業を衛生的に行うことができる。
本発明の吸引・洗浄器１１は、外科手術で患部に洗浄液を注入するとともに患部を同時に洗浄することができ、洗浄後の廃液を空バッグ６にそのまま採集することができるので、廃液が外に漏れることがなく作業を衛生的に行うことができる。さらに洗浄後ないし廃液後に、薬剤を患部に注入することもできる。
本発明の吸引器１、吸引・洗浄器１１は、空バッグ６が既に装着されているので、容器を固定する手段が不用で、これらの調達コストや操作の手間がかからない。
【発明を実施するための最良の形態】
【０００７】
図１は本発明の吸引器１の一例を示す概略図で、図２は本発明の吸引・洗浄器１１の一例を示す概略図である。
【０００８】
本発明の吸引器１は、弾力性を有する筒体２の前方と後方に逆止弁３が配置されている。前記筒体２の上流側に体内挿入チューブ４を装着し、該筒体２の下流側にチューブ５を介して空バッグ６が装着されている。
【０００９】
［筒体］
筒体２は、弾力性を有する材料により形成されている。筒体２の前方と後方に逆止弁３が配置されている。逆止弁３は図１に例示するように、筒体２の内空２ａ内に配置しても良いし、筒体２と体内挿入チューブ４（チューブ５）の境界部に配置しても良い。
［逆止弁］
逆止弁３は「一方弁」または「アヒルのくちばし状弁」ともいわれ、開口部３Ｏが外側から加圧または内側から吸引されると閉じ（液体流路が遮断される）、開口部３Ｏが内側から加圧または外側から吸引されると開く（液体流路が開通される）ように形成され、液体が一方向に流れるように形成されている。逆止弁３の形態は図１に例示するものに限定されず、前記機能を有するものであれば何でも良い。
【００１０】
例えば図１に例示する筒体２は、例えば指で押圧すると圧縮され、内空２ａ内が加圧される。
これにより下流側の逆止弁３の開口部３Ｏは内側から加圧されるので開き、上流側の逆止弁３の開口部３Ｏは外側から加圧されるので閉じる。
押圧した指を離すと圧縮された筒体２が元の形状に戻るので、内空２ａ内は陰圧となる。
これにより、下流側の逆止弁３の開口部３Ｏは内側から吸引されるので閉じ、上流側の逆止弁３の開口部３Ｏは外側から吸引されるので開く。
以上のように筒体２の押圧と押圧解除を繰り返すことにより（「ポンピング」ともいう）、二つの逆止弁３を交互に開いたり閉じたりすることができる。
【００１１】
本発明の吸引器１の使用例として、咽頭付近に溜まった痰を吸引する場合について説明する。
（１）体内挿入チューブ４の先端を口または鼻から挿入して喉頭付近に配置する。
（２）筒体２を加圧すると、下流側の逆止弁３が開いて、上側の逆止弁３が閉じる。加圧を解除すると、下流側の逆止弁３が閉じて、上流側の逆止弁３が開く。これにより、痰は体内挿入チューブ４を経て（矢印Ａの方向）、筒体２内に貯瘤される。
再び筒体２を加圧すると、上流側の逆止弁３が閉じて下流側の逆止弁３が開く。これにより、筒体２内の痰は、チューブ５を経て空バッグ６に採集される。
以上のように、筒体２のポンピングを繰り返すことにより、喉頭付近に溜まった痰を吸引して、空バッグ６に採集することができる。
【００１２】
図２の吸引・洗浄器１１は、図１の吸引器１の体内挿入チューブ４を（ダブルルーメン）カテーテル１４に置換するとともに（ダブルルーメン）カテーテル１４の下流側に前記筒体２を二個配置したものである。
（ダブルルーメン）カテーテル１４は、例えば術中の患部を洗浄する洗浄液（生理食塩液等）、薬剤等が流通する洗浄ルーメン１４Ｗと、洗浄した後の廃液が流通する廃液ルーメン１４Ｄを有する。
前記洗浄ルーメン１４Ｗと連通する分岐チューブ１４ａを介して、前方と後方に開口部３Ｏを上流側に向けた逆止弁３を配置した筒体２を接続し、当該筒体２の下流側に瓶針８、１８とクランプ７、１７を装着したチューブ１５を接続している。逆止弁３の開口部３Ｏを上流側に向けることにより洗浄液（生理食塩液等）、薬剤等を下流側から上流側に流すことができる。
さらに詳述すれば、筒体２の下流後端に二つに分かれる分岐チューブ１５を接続し、それぞれのチューブの途中にクランプ７、１７を装着し、端部に瓶針８、１８を装着している。
前記廃液ルーメン１４Ｄと連通する分岐チューブ１４ｂを介して、前方と後方に開口部３Ｏを下流側に向けた逆止弁３を配置した筒体２を接続し、当該筒体２の下流側に空バッグ６を装着している。逆止弁３の開口部３Ｏを下流側に向けることにより廃液を上流側から下流側に流すことができる。
また前記分岐チューブ１４ａ、１４ｂの途中に着脱可能な接続コネクター１６ａ、１６ｂを装着し、既存のカテーテル１４と筒体２等を着脱できるようにすることができる。
【００１３】
吸引・洗浄器１１の使用方法の一例として、術中の患部の洗浄及び洗浄後の廃液を吸引して廃液バッグ６に捕集する場合について説明をする。
（１）カテーテル１４の先端を患部に挿入する。
（２）クランプ７、１７を閉じ、瓶針８、１８を洗浄液（例えば生理食塩液等）が封入された容器の口部に穿刺する。
（３）クランプ７、１７を開き、筒体２を加圧すると、下流側の逆止弁３が閉じ、上流側の逆止弁３が開く。筒体２の加圧を解除すると、下流側の逆止弁３が開いて、上流側の逆止弁３が閉じる。これにより洗浄液が矢印（Ｂ）方向のように、分岐チューブ１５を経て、筒体２に貯溜される。さらに筒体２を加圧すると、下流側の逆止弁３が閉じ、上流側の逆止弁３が開く。これにより筒体２に溜まった洗浄液が分岐チューブ１４ａ、洗浄ルーメン１４Ｗを経て患部に注入される。これにより看部の洗浄を行うことができる。
（４）洗浄終了後、分岐チューブ１４ｂに装着した筒体２を指で加圧する。下流側の逆止弁３が開き、上流側の逆止弁３が閉じる。筒体２の加圧を解除すると、下流側の逆止弁３が閉じて、上流側の逆止弁３が開く。これにより洗浄後の廃液が廃液ルーメン１４Ｄ、分岐チューブ１４ｂを経て、筒体２に貯溜される。
（５）さらに筒体２を加圧すると、上流側の逆止弁３が閉じ、下流側の逆止弁３が開く。これにより、廃液が矢印（Ｃ）方向のようにチューブ５を経て廃液バッグ６に採集することができる。
【００１４】
また前記（２）において、分岐チューブ１５の少なくとも一方の瓶針８、１８を薬剤が封入された容器の口部に接続することにより、洗浄ないし廃液後後、前記（１）から（３）と同様の操作により、薬剤を患部に注入することができる。
【図面の簡単な説明】
【００１５】
【図１】本発明の吸引器１の一例を示す概略図
【図２】本発明の吸引・洗浄器１１の一例を示す概略図
【符号の説明】
【００１６】
１  吸引器
２  筒体
２ａ  内空
３  逆止弁
３Ｏ  開口部
４  体内挿入チューブ
５  チューブ
６  空バッグ
７、１７  クランプ
８、１８  瓶針
１１  吸引・洗浄器
１４  カテーテル
１４ａ、１４ｂ  分岐チューブ
１４Ｄ  廃液ルーメン
１４Ｗ  洗浄ルーメン
１５  チューブ
１６ａ、１６ｂ  接続コネクター
【図１】
2005110888.tif 000003
【図２】
2005110888.tif 000004